(57)【要約】【課題】    本発明は複写機用カメラモジュールユニットに関し、特に専用のカメラモジュールを用いて複写機の高機能化を図るものである。【解決手段】  ＤＳＰ搭載基板上にＬＥＤとカメラモジュールを取り付けたカメラモジュールユニットを複写機の原稿当接面内側に固定し、原稿に対してＬＥＤ照明を投射すると共に、原稿の内容をカメラモジュールで撮影し、ＤＳＰを介して画像信号をＣＰＵへ送信し、ＣＰＵにおける画像解析と制御によって、原稿を読み取るスキャニング機能と原稿のサイズ、位置、色、文字の濃淡を出力調整するように構成したセンサー機能を有し、更に送受信可能なＣＰＵ操作により、電子ボードやパソコン等の外部電子機器の画像を複写機で出力可能とし、または複写機のスキャンニング画像を外部電子機器へ出力可能とする複写機用カメラモジュールユニットを提供する。【選択図】図１
2014027641.tif 000002
【特許請求の範囲】
【請求項１】
ＤＳＰ搭載基板上にＬＥＤとカメラモジュールを取り付けたカメラモジュールユニットを複写機の原稿当接面内側に固定し、原稿に対してＬＥＤ照明を投射すると共に、原稿の内容をカメラモジュールで撮影し、ＤＳＰを介して画像信号をＣＰＵへ送信し、ＣＰＵにおける画像解析と制御によって、原稿を読み取るスキャニング機能と原稿のサイズ、位置、色、文字の濃淡を出力調整するように構成したセンサー機能を有することを特徴とする複写機用カメラモジュールユニット。
【請求項２】
送受信可能なＣＰＵ操作により、電子ボードやパソコン等の外部電子機器の画像を複写機で出力可能とし、または複写機のスキャンニング画像を外部電子機器へ出力可能とすることを特徴とする請求項１記載の複写機用カメラモジュールユニット。
【請求項３】
操作部のＣＰＵ操作により、原稿のリアルタイムプレビュー機能を実現し、コピー画像の事前確認、文字や図の挿入、移動、消去などの機能を可能にするように構成したことを特徴とする請求項１記載の複写機用カメラモジュールユニット。
【請求項４】
撮像素子を搭載する基板上内側面が円錐凹状部を有するホルダーをリフローはんだで接着したカメラモジュールと、該ホルダーの円錐凹状部と密着する円錐形状部を有するバレルのレンズ圧入部に耐熱性プラスチックレンズを圧入により装着して構成したことを特徴とし、耐熱性プラスチックレンズ圧入部の先端部の円錐状外周面がホルダーの円錐凹状部の内周面に密着され、該レンズの同軸度が規制されるように構成したことを特徴とし、耐熱性プラスチックレンズのフランジ面がホルダーに直受け支持されて、撮像素子との平行度が規制されるように構成したことを特徴とし、且つ、耐熱性プラスチックレンズ圧入部と一体的に形成されたバレルが、ホルダー上端部にスナップロックされ、バレルの固定が確保されるように構成したことを特徴とする請求項１記載の複写機用カメラモジュールユニット。
【発明の詳細な説明】
【技術分野】
【０００１】  本発明は複写機用カメラモジュールユニットに関し、特に専用のカメラモジュールを用いて複写機の高機能化を図るものである。
【背景技術】
【０００２】  本出願人は、先の特許出願において撮像装置を提案したが、日本特許第４１８９７６９号、米国特許第７，９０３，１７０号、韓国特許第１０−０８５７５４５号、中国特許第２００７１０００１７８７．３号として各国で登録となり各国の特許権を保有している。【０００３】  さらに本発明者らは、上記の技術内容に係る撮像装置をＬＥＤ照明やＤＳＰチップ等と共に専用の複写機用カメラモジュールとして用いた場合、１個で複写機の高性能化を図ることのできる知見を得て本発明に至ったものである。
【発明の概要】
【発明が解決しようとする課題】
【０００４】  現在行われている複写機の原稿サイズセンサーは、複数個の赤外発光ＬＥＤと赤外線センサーで原稿サイズの自動識別を行っている。【０００５】  また、原稿の読取りでは読取り部が原稿に沿って移動するものであったが、駆動メカの不具合が生じることがあった。【０００６】  そこで本発明者らは、カメラモジュールユニットを複写機の原稿当接面内側に固定し、原稿に対してＬＥＤ照明を投射すると共に、原稿の内容をカメラモジュールで撮影し、カメラモジュールを使用して原稿サイズの自動識別、原稿濃淡識別、原稿表裏識別、原稿色識別、原稿位置識別、原稿プレビュー、文字挿入等の高機能複写機を提供することを本発明の課題とした。
【課題を解決するための手段】
【０００７】  本発明は前記せる課題を以下の構成によって解決するものである。
ＤＳＰ搭載基板上にＬＥＤとカメラモジュールを取り付けたカメラモジュールユニットを複写機の原稿当接面内側に固定し、原稿に対してＬＥＤ照明を投射すると共に、原稿の内容をカメラモジュールで撮影し、ＤＳＰを介して画像信号をＣＰＵへ送信し、ＣＰＵにおける画像解析と制御によって、原稿を読み取るスキャニング機能と原稿のサイズ、位置、色、文字の濃淡を出力調整するように構成したセンサー機能を有することを特徴とし、送受信可能なＣＰＵ操作により、電子ボードやパソコン等の外部電子機器の画像を複写機で出力可能とし、または複写機のスキャンニング画像を外部電子機器へ出力可能とすることを特徴とし、操作部のＣＰＵ操作により、原稿のリアルタイムプレビュー機能を実現し、コピー画像の事前確認、文字や図の挿入、移動、消去などの機能を可能にするように構成したことを特徴とし、撮像素子を搭載する基板上内側面が円錐凹状部を有するホルダーをリフローはんだで接着したカメラモジュールと、該ホルダーの円錐凹状部と密着する円錐形状部を有するバレルのレンズ圧入部に耐熱性プラスチックレンズを圧入により装着して構成したことを特徴とし、耐熱性プラスチックレンズ圧入部の先端部の円錐状外周面がホルダーの円錐凹状部の内周面に密着され、該レンズの同軸度が規制されるように構成したことを特徴とし、耐熱性プラスチックレンズのフランジ面がホルダーに直受け支持されて、撮像素子との平行度が規制されるように構成したことを特徴とし、且つ、耐熱性プラスチックレンズ圧入部と一体的に形成されたバレルが、ホルダー上端部にスナップロックされ、バレルの固定が確保されるように構成したことを特徴とする複写機用カメラモジュールユニットを提供する。
【発明の効果】
【０００８】  以上説明したように本発明の複写機用カメラモジュールユニットは、原稿を読み取るスキャニング機能を有すると共に、原稿サイズ自動識別、原稿位置ズレ、文字濃淡自動識別、原稿色自動識別等のセンサー機能を有し、複写機の高機能化を実現できるものである。【０００９】  また、送受信可能なＣＰＵ操作により、電子ボードやパソコン等の外部電子機器の画像を複写機で出力可能とし、または複写機のスキャンニング画像を外部電子機器へ出力可能とする複写機用カメラモジュールユニットであって、多岐にわたる活用ができるものである。【００１０】  更にセンサー機能を有するので、原稿のリアルタイムプレビュー機能を実現できるのでコピー画像の事前確認、文字や図の挿入、移動、消去などの機能を実現することができるものである。
【図面の簡単な説明】
【００１１】
【図１】  カメラモジュールユニットの斜視図である。
【図２】  図１のブロック図である。
【図３】  カメラモジュールユニットを設置した複写機の部分斜視図である。
【図４】  カメラモジュールユニットを設置した複写機の部分断面図である。
【図５】  カメラモジュールの断面図である。
【発明を実施するための形態】
【００１２】  本発明の基本構造は、ＤＳＰ（Ｄｉｇｉｔａｌ  Ｓｉｇｎａｌ  Ｐｒｏｃｅｓｓｏｒ）８を搭載した基板１上に、ＬＥＤ３とカメラモジュール２を取り付けたカメラモジュールユニットを図３乃至図４に示すように複写機９の原稿当接面内側に固定し、原稿１１に対してＬＥＤ照明３を投射すると共に、原稿１１の内容をカメラモジュール２で撮影し、ＤＳＰを介して画像信号をＣＰＵへ送信し、ＣＰＵにおける画像解析と制御によって、原稿を読み取るスキャニング機能と原稿のサイズ、位置、色、文字の濃淡を出力調整するように構成したセンサー機能を有するように構成したものである。
【００１３】  また、操作部２０のＣＰＵ操作により、原稿のリアルタイムプレビュー機能を実現し、コピー画像の事前確認、文字や図の挿入、移動、消去などの機能を可能にするように構成したことを特徴としている。
【００１４】  基板１上に固定されるレンズホルダー７の上方には耐熱性プラスチックレンズ４が固定され、レンズホルダー７内の内側下方には基板１上に撮像素子１２とＤＳＰ８とが積層状態に固定されている。
【００１５】  円錐凹状部７１を有するレンズホルダー７は、基板１にリフローはんだで接着されている。
【００１６】  レンズホルダー７の円錐凹状部７１と密着する円錐形状部５１を有するバレル６のレンズ圧入部５に耐熱性プラスチックレンズ４が圧入により装着されている。
【００１７】  耐熱性プラスチックレンズ圧入部５の先端部の円錐状外周面がレンズホルダー７の円錐凹状部７１の内周面に密着され、該耐熱性プラスチックレンズの同軸度が規制される。
【００１８】  耐熱性プラスチックレンズ４のフランジ部４１がレンズホルダー７に直受け支持されて、撮像素子１２との平行度が規制されるように構成されている。
【００１９】  耐熱性プラスチックレンズ４のレンズ圧入部５と一体的に形成されたバレル６が、レンズホルダー７の上端部にスナップロックされ、バレル６の固定が確保されている。
【００２０】  更に本発明は、耐熱性プラスチックレンズ４を備えた撮像モジュール２による原稿内容の撮影により、原稿のサイズ、位置、色、文字の濃淡を撮影し、ＤＳＰ（Ｄｉｇｉｔａｌ  Ｓｉｇｎａｌ  Ｐｒｏｃｅｓｓｏｒ）８を介して画像信号をＣＰＵへ送信し、ＣＰＵにおける画像解析と制御によって、原稿を読み取るスキャニング機能と共に原稿のサイズ、位置、色、文字の濃淡を出力調整するように構成したセンサー機能を有する。
【００２１】  また、操作部２０の操作により、原稿１１のリアルタイムプレビュー機能を実現し、コピー画像の事前確認、文字や図の挿入、移動、消去などの機能を実現するように構成されている。
【００２２】  更に本考案の複写機用撮像モジュールユニットの要部の一つである撮像モジュール２の構造について図面に基づいて詳しく説明する。
【００２３】  レンズ圧入部５の先端部の円錐状外周面がレンズホルダー７の円錐凹状部７１の内周面に密着されることによって、耐熱性プラスチックレンズ４の同軸度が規制される。
【００２４】  図５に示すように、耐熱性プラスチックレンズ４のフランジ部４１がレンズホルダー７に直受け支持されて、撮像素子１２との平行度が規制されている。
【産業上の利用可能性】
【００２５】  本発明は以上説明したような構成であるので、専用のカメラモジュール１個で原稿サイズ識別等その他の複写機の高機能化を図り、専用のカメラモジュールの利用で新機能の複写機を提供できる産業上の利用可能性の大なるものである。
【符号の説明】
【００２６】  １  基板
２  カメラモジュール
３  ＬＥＤ照明
４  耐熱性プラスチックレンズ
４１  フランジ部
５  レンズ圧入部
５１  円錐形状部
６  バレル
７  レンズホルダー
７１  円錐凹状部
７２  レンズ受部
８  ＤＳＰ
９  複写機
９１  原稿載置部
１０  ＣＰＵ
１１  原稿
１２  撮像素子
２０  操作部
【図１】
2014027641.tif 000003
【図２】
2014027641.tif 000004
【図３】
2014027641.tif 000005
【図４】
2014027641.tif 000006
【図５】
2014027641.tif 000007